(57)【要約】  【課題】  引張材を挿入する工法の信頼性を向上することができるとともに、前記工法を低コストで行える穿孔機および引張材挿入工法を提供する。  【解決手段】  グラウト材Ｇの流通可能な孔１ａを有するスクリーン管１と、このスクリーン管１を挿通し、先端部にインナービット２が装着されるインナーロッド３と、前記スクリーン管１の外側に配置され、先端部にリングビット４が装着されるケーシングパイプ５と、前記インナーロッド３およびケーシングパイプ５のそれぞれの後端部が接続され、インナーロッド３およびケーシングパイプ５にそれぞれ軸方向の打撃力と軸まわりの回転力とを伝達するためのシャンクロッド７とを備えた。  【選択図】  図２
2005054486.tif 000002
【特許請求の範囲】
【請求項１】
グラウト材の流通可能な孔を有するスクリーン管と、このスクリーン管を挿通し、先端部にインナービットが装着されるインナーロッドと、前記スクリーン管の外側に配置され、先端部にリングビットが装着されるケーシングパイプと、前記インナーロッドおよびケーシングパイプのそれぞれの後端部が接続され、インナーロッドおよびケーシングパイプにそれぞれ軸方向の打撃力と軸まわりの回転力とを伝達するためのシャンクロッドとを備えたことを特徴とする穿孔機。
【請求項２】
インナービット、スクリーン管およびリングビットの各先端がほぼ同一平面上にあるように構成してある請求項１に記載の穿孔機。
【請求項３】
グラウト材の流通可能な孔を有するスクリーン管を挿通するインナーロッドの先端部に装着されるインナービットと、前記スクリーン管の外側に配置されるケーシングパイプの先端部に装着されるリングビットとで地盤を掘削して掘削孔を形成しつつ、この掘削孔へのスクリーン管の挿入と生じた掘削土の排除とを行い、所定深さの掘削孔を形成する掘削孔形成工程と、この掘削孔形成工程後、前記インナーロッドおよびケーシングパイプをそれぞれの先端部に装着されたビットとともに掘削孔から引き抜き、スクリーン管のみが内部に残った状態の掘削孔内に、グラウト材の注入および引張材の挿入を行う引張材固定工程とを有することを特徴とする引張材挿入工法。
【発明の詳細な説明】
【技術分野】
【０００１】
この発明は、穿孔機および引張材挿入工法に関する。
【背景技術】
【０００２】
【特許文献１】特開２００１−１２３４４６号公報
【０００３】
傾斜地の地盤を安定させて偏土圧による地滑りを防止したり、山留め壁の補強を図るためなどに、傾斜地の地盤に所定の角度で掘削孔を形成し、この掘削孔内に引張材を挿入（固定）する引張材挿入工法が従来より行われている。
【０００４】
前記引張材挿入工法は、一般的に、先端にビットを備えたロッドを用いて、地盤に孔を掘削しつつ掘削土を排除し、かつ、所定深さの掘削孔を形成した時点でロッドを掘削孔から引き抜いて、この掘削孔内に、先端にアンカーを備えた引張材を挿入するとともに、グラウト材を注入することで行われ、前記グラウト材の硬化後には、引張材に緊張力が付与され、これによって、地盤に圧縮力が伝達されることとなる。
【０００５】
しかし、上記従来の挿入工法では、地盤掘削の際に孔壁が崩れ落ちることがあり、このとき崩れ落ちた土（崩壊土）が引張材とグラウト材との定着を悪くするため、引張材の緊張力ひいては地盤にかかる圧縮力が低下することがあった。また、前記崩壊土のために、引張材の挿入やグラウト材の注入が不能になるおそれや、前記引張材の周面をグラウト材により確実に隙間無く保護することができず、引張材が錆により劣化するおそれがあり、前記挿入工法の信頼性が低下することとなっていた。
【０００６】
また、他の引張材挿入工法として、ビットを備えたロッドを掘削孔内に残して、この掘削孔内にグラウト材を注入する自穿孔ロックボルトの挿入工法がある。しかし、この工法では、前記崩壊土のために引張材の挿入が不能になるという問題は生じないが、引張材の緊張力（地盤にかかる圧縮力）の低下、グラウト材が注入不能となることおよび錆によるロックボルト（引張材）の劣化の問題は解決できず、やはり挿入工法の信頼性が低下することとなり、加えて、ビットを備えたロッドを残すことがコストアップに繋がる点で問題であった。
【０００７】
そこで、上記特許文献１に示すように、本出願人は、セメントミルクの流通が可能な小目合いのネット部分を備えたスクリーン管にロッドを挿通し、かつ、ロッド先端に、掘削外径がスクリーン管の外径よりも大きいビットを装着して、このビットによって地盤に孔を掘削しつつ、その掘削孔にスクリーン管を挿入し、かつ、掘削土を排除して、所定深さの掘削孔を形成した時点で、ロッドをビットから脱離させて掘削孔から引き抜き、掘削孔に対して、セメントミルクの注入と、引張材の挿入とを行うようにした引張材挿入工法を提案している。
【０００８】
上記の挿入工法によれば、地盤掘削の際に孔壁が崩れ落ちても、このとき生じた崩壊土はスクリーン管によって受け止められるため、孔壁の大きな崩れ落ちは確実に防止される。
【０００９】
また、スクリーン管には、小目合いのネット部分を形成しているだけであるから、崩壊土がスクリーン管内に入り込むことも殆どなく、従って、スクリーン管への引張材の挿入が容易であるとともに、セメントミルクについては、これがネット部分を通して掘削孔内の全体に満遍なく行き渡ることから、セメントミルクの硬化後に、引張材に緊張力が付与され、地盤に圧縮力が伝達される。
【００１０】
しかも、セメントミルクの注入前に、ビットのみを残してロッドを回収するので、上記自穿孔ロックボルトの挿入工法に比較して、施工を低コストで行うことが可能になる。
【発明の開示】
【発明が解決しようとする課題】
【００１１】
しかし、上記の挿入工法では、信頼性の問題は解決できたものの、前記ビットはスクリーン管の外径よりも大きいため掘削孔内に残さざるを得ず、高価なビットを使い捨てにしていたことにより、必然的にこの工法のコストが高くなるという問題が残されていた。
【００１２】
この発明は上述の事柄に留意してなされたもので、その目的は、引張材を挿入する工法の信頼性を向上することができるとともに、前記工法を低コストで行える穿孔機および引張材挿入工法を提供することである。
【課題を解決するための手段】
【００１３】
上記目的を達成するために、この発明の穿孔機は、グラウト材の流通可能な孔を有するスクリーン管と、このスクリーン管を挿通し、先端部にインナービットが装着されるインナーロッドと、前記スクリーン管の外側に配置され、先端部にリングビットが装着されるケーシングパイプと、前記インナーロッドおよびケーシングパイプのそれぞれの後端部が接続され、インナーロッドおよびケーシングパイプにそれぞれ軸方向の打撃力と軸まわりの回転力とを伝達するためのシャンクロッドとを備えた（請求項１）。
【００１４】
詳しくは、この発明の穿孔機は、インナービット、スクリーン管およびリングビットの各先端がほぼ同一平面上にあるように構成してある（請求項２）。
【００１５】
一方、この発明の引張材挿入工法は、グラウト材の流通可能な孔を有するスクリーン管を挿通するインナーロッドの先端部に装着されるインナービットと、前記スクリーン管の外側に配置されるケーシングパイプの先端部に装着されるリングビットとで地盤を掘削して掘削孔を形成しつつ、この掘削孔へのスクリーン管の挿入と生じた掘削土の排除とを行い、所定深さの掘削孔を形成する掘削孔形成工程と、この掘削孔形成工程後、前記インナーロッドおよびケーシングパイプをそれぞれの先端部に装着されたビットとともに掘削孔から引き抜き、スクリーン管のみが内部に残った状態の掘削孔内に、グラウト材の注入および引張材の挿入を行う引張材固定工程とを有する（請求項３）。
【発明の効果】
【００１６】
上記の構成からなる発明では、引張材を挿入する工法の信頼性を向上することができるとともに、前記工法を低コストで行える穿孔機および引張材挿入工法を提供することができる。
【００１７】
すなわち、前記穿孔機および引張材挿入工法では、地盤に掘削孔を形成した後、この掘削孔内にスクリーン管を残すことにより、掘削孔の内壁が崩れ落ちても、このとき生じた崩壊土はスクリーン管によって受け止められるため、孔壁の大きな崩れ落ちは確実に防止される。
【００１８】
また、スクリーン管には、グラウト材の流通可能な孔を設けてあり、この孔の大きさを掘削土や崩壊土を通さないように設定することで、前記掘削土や崩壊土がスクリーン管内に入り込むことも殆どなく、従って、スクリーン管への引張材の挿入が容易であるとともに、グラウト材については、スクリーン管の孔を通して掘削孔内の全体に満遍なく行き渡ることとなる。
【００１９】
従って、引張材とグラウト材との定着が良好となり、グラウト材の硬化後に、引張材に確実に緊張力が付与され、地盤に圧縮力が伝達されるため、引張材の緊張力ひいては地盤にかかる圧縮力が向上し、また、前記掘削土や崩壊土のために、引張材の挿入やグラウト材の注入が不能になるおそれもなく、さらに、前記引張材の周面をグラウト材により確実に隙間無く保護することができ、引張材が錆により劣化するおそれもない。
【００２０】
しかも、掘削孔の形成後には、安価なスクリーン管のみを残し、高価なビットやロッドを回収して再利用できるため、従来の引張材挿入工法に比較して、施工を低コストで行うことが可能になる。
【発明を実施するための最良の形態】
【００２１】
以下、この発明の詳細を、図を参照しながら説明する。
【００２２】
図１は、この発明の一実施例に係る引張材挿入工法に用いる穿孔機Ｄの構成を概略的に示す説明図、図２は、前記穿孔機Ｄの要部の構成を概略的に示す説明図である。
【００２３】
前記穿孔機Ｄは、穿孔体Ａと、この穿孔体Ａをその軸まわりに回転させ、かつ、穿孔体Ａに対してその軸方向（前進方向）に打撃を加えつつ、穿孔体Ａを地盤内へと前進させるための穿孔機本体Ｂとを備え、前記穿孔体Ａの回転と打撃と前進とによって、傾斜地等の地盤Ｊ（図４参照）を掘削して掘削孔Ｈ（図４参照）を形成するように構成されている。なお、穿孔体Ａは、穿孔機本体Ｂに対して着脱自在である。
【００２４】
前記穿孔体Ａは、グラウト材Ｇ（図４（Ｄ）参照）の流通が可能な孔１ａを有するスクリーン管１と、このスクリーン管１を挿通し、先端部にインナービット２が装着されるインナーロッド３と、前記スクリーン管１の外側に配置され、先端部にリングビット４が装着されるケーシングパイプ５とを有している。
【００２５】
前記穿孔機本体Ｂは、前記インナーロッド３およびケーシングパイプ５のそれぞれの後端部が継手部材６を介して接続され、インナーロッド３およびケーシングパイプ５にそれぞれ軸方向の打撃力と軸まわりの回転力とを伝達するためのシャンクロッド７と、このシャンクロッド７を支持し、前記シャンクロッド７にその軸まわりの回転力と軸方向の打撃力を与えるロッド駆動機構部８と、前記シャンクロッド７を支持するロッド駆動機構部８を直線的に往復移動させることが可能な前進駆動機構部９とを有している。
【００２６】
以下、各部材について詳述する。
【００２７】
前記グラウト材Ｇは、前記掘削孔Ｈ内への注入時には、掘削孔Ｈ内の隅々にまで滞りなく進入できる程度の流動性を有し、時間の経過とともに、前記掘削孔Ｈ内に挿入される引張材Ｔ（後述する）を掘削孔Ｈ内に保持することができる程度に硬化する性状を備えている。
【００２８】
図３（Ａ）は、前記穿孔体Ａの構成を概略的に示す縦断面図、図３（Ｂ）は、前記リングビット４およびケーシングパイプ５の構成を概略的に示す縦断面図、図３（Ｃ）は、前記スクリーン管１の構成を概略的に示す縦断面図、図３（Ｄ）は、前記インナービット２およびインナーロッド３の構成を概略的に示す縦断面図である。
【００２９】
前記スクリーン管１は、ほぼ円筒形状をしており、その両端部を除いた周壁全体にわたって前記孔（貫通孔）１ａが複数設けられている。本実施例では、前記スクリーン管１の両端部を除いた部分が、前記孔１ａを目合いとするネット状部分として形成されている。また、スクリーン管１の内径は、前記インナーロッド３の外径およびインナービット２の外径よりも大きく、インナービット２を装着したインナーロッド３がスクリーン管１を挿通することができるように構成されている。さらに、スクリーン管１の長さは、形成しようとする前記掘削孔Ｈの深さとほぼ同じかそれよりも若干短い程度に設定される。
【００３０】
前記孔１ａは、地盤Ｊを掘削して掘削孔Ｈを形成するときに生じる掘削土や、地盤Ｊを掘削する際に孔壁が崩れ落ちることで生じる崩壊土を殆ど通さず、かつ、前記グラウト材Ｇが流通可能となる大きさに形成されている。
【００３１】
なお、孔１ａの形状は任意に設定可能であり、例えば、ほぼ円形状（楕円形状）、矩形状（正方形状）、長孔状、スリット状などとすることができる。また、前記スクリーン管１の周壁における孔１ａの単位面積当たりに占める面積の割合や個数等は、前記スクリーン管１の周壁の内外にかけての、前記掘削土や崩壊土の流通をできるだけ防止し、かつ、グラウト材Ｇの流通をできるだけ妨げないようにすることなどを考慮して適宜に設定すればよい。
【００３２】
前記インナービット２は、その掘削外径（すなわちインナービット２によって掘削形成することができる掘削孔の外径）が前記スクリーン管１の内径とほぼ同じ程度となるように構成されており、例えば、前記インナーロッド３の先端に螺着によって装着することができる。なお、インナーロッド３に対するインナービット２の装着方法は、螺着に限られず、例えば、インナービット２にインナーロッド３を挿入するだけで装着することができるように構成してもよい。
【００３３】
また、インナービット２は、インナーロッド３内を通ってきたエアを受け入れ、かつこのエアを前方（掘削孔Ｈの奥側）に導出するための貫通孔２ａを有している。
【００３４】
前記インナーロッド３は、その先端に、インナービット２が螺着などによって装着され、また、その後端部には雄ねじ部３ａが設けられており、この雄ねじ部３ａが螺着によって前記継手部材６の雌ねじ部６ａに接続される。
【００３５】
また、インナーロッド３の内部のほぼ中央を、その先端から後端まで貫く貫通孔３ｂが設けられており、この貫通孔３ｂは、インナーロッド３にインナービット２を装着したときに、インナービット２の前記貫通孔２ａに連通するように構成されている。
【００３６】
前記リングビット４は、ほぼ円筒形状をしており、その掘削内径（すなわちインナービット２によって掘削形成することができる掘削孔の内径）が前記スクリーン管１の外径とほぼ同じ程度となるように構成されており、例えば、前記ケーシングパイプ５の先端に螺着によって装着することができる。なお、ケーシングパイプ５に対するリングビット４の装着方法は、螺着に限られず、例えば、リングビット４にケーシングパイプ５を挿入するだけで装着することができるように構成してもよい。
【００３７】
また、前記リングビット４の内径は、前記スクリーン管１の外径よりも大きく、スクリーン管１が挿通できるように構成されている。
【００３８】
前記ケーシングパイプ５は、ほぼ円筒形状をしており、その先端に、リングビット４が螺着などによって装着され、また、その後端部には雄ねじ部５ａが設けられており、この雄ねじ部５ａが螺着によって前記継手部材６の雌ねじ部６ｂに接続される。
【００３９】
また、前記ケーシングパイプ５の内径は、前記スクリーン管１の外径よりも大きく、スクリーン管１が挿通できるように構成されている。
【００４０】
上記の構成からなる穿孔体Ａでは、前記インナービット２、スクリーン管１およびリングビット４の各先端がほぼ同一平面上にあるように構成してある。詳しくは、前記インナービット２およびリングビット４の各先端がほぼ同一平面上にあるように構成してある一方、前記スクリーン管１はその重量によって下方（掘削孔Ｈの底側）に向かうため、結果的に、スクリーン管１の先端も前記インナービット２およびリングビット４の各先端とほぼ同一の平面上に存在することとなる。
【００４１】
また、インナービット２の外面とスクリーン管１の内面との間およびスクリーン管１の外面とリングビット４の内面との間には、例えばそれぞれ約１ｍｍ程度の隙間が形成されている。さらに、前記スクリーン管１は、前記インナーロッド３およびケーシングパイプ５のいずれか短い方の部材（本実施例ではケーシングパイプ５）よりも若干短くなるように形成してあり、スクリーン管１の後端がインナーロッド３およびケーシングパイプ５の後端よりも後方に位置することはない。
【００４２】
前記継手部材６は、例えば、スイベル継手であり、ほぼ円筒形状をしており、前記穿孔体Ａ（インナーロッド３およびケーシングパイプ５）が接続される先端側の内部に、先端側から順に、大径の（内径が大きい）前記雌ねじ部６ｂと、小径の（内径が小さい）雌ねじ部６ａとを有している。また、継手部材６は、後端側の内部に、前記シャンクロッド７の先端の雄ねじ部７ａが螺着される雌ねじ部６ｃを有している。
【００４３】
さらに、継手部材６は、前記雌ねじ部６ａと雌ねじ部６ｃとの間に設けられた貫通孔からなるエア流路６ｄを有しており、また、このエア流路６ｄに一端が連通し、前記大径の雌ねじ部６ａと小径の雌ねじ部６ｂとの境界部分に設けられる段差部６ｅに他端が連通する分岐流路６ｆを複数（本実施例では４つ）有している。
【００４４】
前記シャンクロッド７は、内部を軸方向に貫通する貫通孔７ｂを有する中空状のロッドである。そして、この貫通孔７ｂには、圧縮エアを供給するためのエア供給手段（図示せず）が接続されている。
【００４５】
前記ロッド駆動機構部８は、前記シャンクロッド７をその軸まわりに回転させるための駆動手段（例えばモータなど、図示せず）と、前記シャンクロッド７にその軸方向の打撃力を与えるための駆動手段（図示せず）とを備えている。
【００４６】
前記前進駆動機構部９は、前記ロッド駆動機構部８をスライド自在に支持する一対の平行なガイド棒９ａと、ガイド棒９ａに沿って回動するチェーン（図示せず）と、チェーンを任意の方向に回動させるための駆動手段（例えばモータ、図示せず）とを備え、前記チェーンに前記ロッド駆動機構部８が連結されている。そして、前記チェーンを任意方向に回動させることにより、前記ロッド駆動機構部８全体がガイド棒９ａに沿って任意方向に移動（前進または後退）し、同時に、前記ロッド駆動機構部８に支持された前記シャンクロッド７も前進または後退する。
【００４７】
図４（Ａ）〜（Ｄ）は、前記引張材挿入工法の手順を概略的に示す説明図である。
次に、前記穿孔機Ｄを用いて行う引張材挿入工法について説明する。
引張材挿入工法は、スクリーン管１の内側に、前記インナーロッド３およびこのインナーロッド３の先端部に装着したインナービット２を配置し、前記スクリーン管１の外側に、ケーシングパイプ５およびこのケーシングパイプ５の先端部に装着したリングビット４を配置した状態で、前記インナービット２とリングビット４とで地盤Ｊを掘削して掘削孔Ｈを形成しつつ、この掘削孔Ｈへのスクリーン管１の挿入と生じた掘削土の排除とを行い、所定深さの掘削孔Ｈを形成する掘削孔形成工程（図４（Ａ）参照）と、この掘削孔形成工程後、前記インナーロッド３およびケーシングパイプ５をそれぞれの先端部に装着されたビット２，４とともに掘削孔Ｈから引き抜き（図４（Ｂ）参照）、スクリーン管１のみが内部に残った状態の掘削孔Ｈ内に、グラウト材Ｇの注入（図４（Ｄ）参照）および引張材Ｔの挿入（図４（Ｃ）参照）を行う引張材固定工程とを有する。
【００４８】
詳しくは、前記引張材挿入工法では、まず、前記穿孔機本体Ｂのロッド駆動機構部８によりシャンクロッド７がその軸まわりの回転し、かつ軸方向に対して打撃が加えられると、前記シャンクロッド７に継手部材６を介して接続されている穿孔体Ａも同様に、その軸まわりに回転し、かつ、その軸方向に対して打撃を加えられることになる。そして、この穿孔体Ａの先端部（インナービット２およびリングビット４）を地盤Ｊに当接させると、前記穿孔体Ａの回転力と打撃力とによって、地盤Ｊが掘削され、掘削孔Ｈが形成されることとなる。なお、このとき、前記インナーロッド３とケーシングパイプ５との間に配置されているスクリーン管１は、その後端がケーシングパイプ５の後端よりも前方に位置するように構成されているため、スクリーン管１の後端が前記継手部材６（段差部６ｅ）に当接して、継手部材６からの打撃を受けるということはない。
【００４９】
また、このとき、前記シャンクロッド７の貫通孔７ａには圧縮エアが供給されており、この圧縮エアは、継手部材６のエア流路６ｄを経て、インナーロッド３（貫通孔３ｂ）内およびインナービット２の貫通孔２ａ内に送られ、この貫通孔２ａからインナービット２（穿孔体Ａ）の前方に導出される一方、前記エア流路６ｄに連通する分岐流路６ｆを経て、スクリーン管１とインナーロッド３の間およびスクリーン管１とケーシングパイプ５の間をそれぞれ流れてそれぞれ前方に導出され、穿孔体Ａの前方に導出された圧縮エアは、ケーシングパイプ５の外面と掘削孔Ｈの内壁（孔壁）との間を通って地上に導出されることとなる。
【００５０】
すなわち、本実施例では、インナーロッド３の中央部、スクリーン管１とインナーロッド３の間およびスクリーン管１とケーシングパイプ５の間の三箇所から圧縮エアをそれぞれ前方に導出しつつ、前記地盤Ｊの掘削を行うのであり、この掘削に伴って生じた土や泥（掘削土や崩壊土）は、ケーシングパイプ５の外面と掘削孔Ｈの内壁（孔壁）との間を通って地上に排出される。
【００５１】
そして、図４（Ａ）に示すように、所定深さの掘削孔Ｈを形成した後、前記インナーロッド３およびケーシングパイプ５をそれぞれの先端部に装着されたビット２，４とともに掘削孔Ｈから引き抜く際には、前記前進駆動機構部９の前記チェーンを任意方向に回動させることにより、前記ロッド駆動機構部８全体をガイド棒９ａに沿って後退させるだけでよく、この後退によって、図４（Ｂ）に示すように、前記ロッド駆動機構部８に支持された前記シャンクロッド７およびこのシャンクロッド７に接続された穿孔体Ａのスクリーン管１を除く部材が全て掘削孔Ｈ内から後退し、掘削孔Ｈ内には、スクリーン管１のみが残された状態となる。
【００５２】
このとき、前記掘削孔Ｈの内壁（孔壁）が崩れ落ちても、このとき生じた崩壊土は前記掘削孔Ｈ内に残されたスクリーン管１によって受け止められるため、孔壁の大きな崩れ落ちは確実に防止される。
【００５３】
続いて、前記掘削孔Ｈ内に、グラウト材Ｇの注入と引張材Ｔの挿入とを行う。この引張材Ｔとしては、例えば、鉄筋、ＰＣ鋼棒、ＰＣ鋼撚線、アラミド繊維製のもの、カーボン繊維製のものなどが挙げられる。また、前記引張材Ｔの先端部には、グラウト材Ｇにより埋設されるアンカー（図示せず）が設けられている。
【００５４】
詳しくは、前記スクリーン管１の後端側にグラウト材注入用のアタッチメント（図示せず）を取り付けて、掘削孔Ｈ内に所定量のグラウト材Ｇを注入し、この後、前記アタッチメントを取り外して、前記引張材Ｔをスクリーン管１内に挿入し、必要に応じてグラウト材Ｇを追加注入し、かつ、引張材Ｔの後端（基部）側の雄ねじ部Ｔａに、受圧プレート１０、ワッシャ（図示せず）およびナット（ダブルナット）１１を取り付け、グラウト材Ｇの硬化後に、前記ナット１１を締め込み、引張材Ｔに緊張力を付与する。以上で引張材挿入工法が完了する。
【００５５】
なお、本実施例において、掘削孔Ｈを形成しようとする地盤Ｊが、硬質な岩盤などの場合には、前記インナービット２の先端がリングビット４の先端よりも若干（０．５〜１．０ｃｍ）前方に突出するように構成し、軟質な粘土層等の場合には、上記したように両者の先端を面一平面上にあるように構成するか、あるいは前記インナービット２の先端がリングビット４の先端よりも若干（０．５〜１．０ｃｍ）後方に後退するように構成すると、穿孔機Ｄを用いた掘削作業がよりスムーズとなる。
【図面の簡単な説明】
【００５６】
【図１】この発明の一実施例に係る引張材挿入工法に用いる穿孔機の構成を概略的に示す説明図である。
【図２】前記穿孔機の要部の構成を概略的に示す説明図である。
【図３】（Ａ）は、穿孔体の構成を概略的に示す縦断面図、（Ｂ）は、リングビットおよびケーシングパイプの構成を概略的に示す縦断面図、（Ｃ）は、スクリーン管の構成を概略的に示す縦断面図、（Ｄ）は、前記インナービットおよびインナーロッドの構成を概略的に示す縦断面図である。
【図４】（Ａ）〜（Ｄ）は、前記引張材挿入工法の手順を概略的に示す説明図である。
【符号の説明】
【００５７】
１  スクリーン管
１ａ  孔
２  インナービット
３  インナーロッド
４  リングビット
５  ケーシングパイプ
７  シャンクロッド
Ｄ  穿孔機
Ｇ  グラウト材
【図１】
2005054486.tif 000003
【図２】
2005054486.tif 000004
【図３】
2005054486.tif 000005
【図４】
2005054486.tif 000006